(57)【特許請求の範囲】
【請求項１】
プリンタによって印刷可能な印刷面を有し印刷された情報が裏面側から視認可能な印字用シートと、この印字用シートの前記印刷面とは反対側に剥離可能に形成された透明または半透明の粘着剤層と、この粘着剤層に重ねられた透明または半透明の保護フィルムとからなる保護フィルム付きラベルシートであって、前記印字用シートの印刷面に反転印刷される印刷領域を包囲するように前記印字用シートに設けられ、その印刷領域以外の周辺領域を剥ぎ取って前記粘着剤層を露出させるためのループ状切れ目が形成されていることを特徴とする保護フィルム付きラベルシート。
【請求項２】
前記保護フィルムおよび粘着剤層には、前記ループ状切れ目の外側に位置してそのループ状切れ目によって囲まれる領域よりも大きい領域を包囲するループ形状の表面側切れ目が形成されていることを特徴とする請求項１に記載の保護フィルム付きラベルシート。
【請求項３】
前記ループ状切れ目が長方形をなすと共に、前記印字用シートの周辺領域には、前記ループ状切れ目の一辺と連続し、これとほぼ直交する方向に伸びる裏面側切れ目が形成されていることを特徴とする請求項２に記載の保護フィルム付きラベルシート。
【発明の詳細な説明】
【０００１】
【発明の属する技術分野】
本発明は、表面が保護フィルムによって被覆されたラベルを形成するための保護フィルム付きラベルシートに関する。
【０００２】
【従来の技術】
従来、例えば文具用品や携帯電話、保存容器、実験器具等に貼付するラベルが多用されている。このラベルは、例えば、プリンタによって印刷可能な印刷面を有する印字用シートと、この印字用シートの印刷面の裏面側に積層された粘着剤層と、この粘着剤層を被覆するように積層された剥離シートとの３層構造からなるラベルシートの印字用シートおよび粘着剤層に、ループ形状の切れ目を形成することによって、剥離シートから剥ぎ取り可能とされている。このようなラベルを使用する場合には、まずラベルシートをプリンタに通して個々のラベル部分に印刷を行い、その後剥離シートから剥ぎ取って、被着体物に貼り付ける。
【０００３】
ところで、ラベルの表面を、水分や傷、汚れ等から保護するために、例えば透明の保護フィルムで被覆する場合がある。従来は、ラベルを被着体物に貼り付けた後、ラベルシートとは別個の専用の保護フィルムシートから保護フィルムを剥ぎ取り、貼付されたラベルの表面に貼り付けている。
【０００４】
【発明が解決しようとする課題】
しかし上述したような従来の保護フィルムは、貼付の際に、ラベルに対する位置合わせが面倒であったり、ラベルとの間に空気が入り込んで表面にしわができないように注意をしなければならず、取り扱いが不便であった。また、ラベルシートとは別個に保護フィルムシートを作製することになるため、製造コストがかかる。
【０００５】
本発明は上記事情に鑑みてなされたものであって、表面が保護フィルムによって被覆されたラベルを簡単に得ることができるとともに、製造コストが安価な保護フィルム付きラベルシートを提供することを目的とするものである。
【０００６】
【課題を解決するための手段、作用および効果】
上記課題を解決するための請求項１の発明は、プリンタによって印刷可能な印刷面を有し印刷された情報が裏面側から視認可能な印字用シートと、この印字用シートの前記印刷面とは反対側に剥離可能に形成された透明または半透明の粘着剤層と、この粘着剤層に重ねられた透明または半透明の保護フィルムとからなる保護フィルム付きラベルシートであって、前記印字用シートの印刷面に反転印刷される印刷領域を包囲するように前記印字用シートに設けられ、その印刷領域以外の周辺領域を剥ぎ取って前記粘着剤層を露出させるためのループ状切れ目が形成されているところに特徴を有する。
【０００７】
ここで、印字用シートにおいて印刷された情報を裏面から視認可能とするには、印字用シートが透明又は半透明なものであってもよく、或いは、不透明であっても印字されたインクが印字用シートに浸透して裏側からそれが視認可能となるいわゆるバックプリントフィルムであってもよい。
なお、保護フィルムは、これを透かして印刷された情報を視認できるものであれば、着色されているもの、或いはマット処理等の表面処理がされているものであってもよい。また、紫外線の透過率が低いものを使用することにより、印刷インクの褪色を防止することができる。
【０００８】
上記請求項１の発明によれば、印字用シートに形成されたループ状切れ目によって囲まれた印刷領域とそれ以外の周辺領域とは、ループ状切れ目によって互いに切り離され、粘着剤層から剥離可能となる。よって、周辺領域を粘着剤層から剥離することにより、印刷領域が保護フィルム側に残された状態となり、結局、周囲に粘着剤層が露出されたラベルが形成される。このラベルは、露出された粘着剤層を被着体物に宛って押しつけることによって、被着体物に貼付することができる。
【０００９】
ところで、上述したように、ラベルをその周囲に露出された粘着剤層を被着体物に宛って貼付すると、ラベルの印刷面側が被着体物と向き合う状態となるため、印字用シートの裏面側を保護フィルムおよび粘着剤層を介して見る構成となる。ここで本発明の保護フィルム付きラベルシートによれば、保護フィルム、粘着剤層および印字用シートは印刷された情報が裏面側から視認可能であるから、印字用シートの印刷面に印刷情報を反転印刷しておけば、その印刷情報を印刷面の裏面側から正規の向きで透かし見ることができる。しかも、印刷面の裏面側には、上述したように、粘着剤層を介して保護フィルムが設けられているから、露出された粘着剤層を被着体物に宛って貼り付ければ、自ずとラベルの表面が保護フィルムにて覆われた状態となる。
【００１０】
このように、本発明の保護フィルム付きラベルシートによれば、印字用シートに反転印刷を行ってループ状切れ目の周辺領域を剥ぎ取り、露出した粘着剤層を被着体物に宛って貼り付けるという簡単な作業を行うだけで、表面が保護フィルムにて覆われたラベルを得ることができるという優れた作用効果を奏する。また、印字用シートが従来の剥離シートを兼ねているため、印刷されるラベルシートと、これに重ねる剥離シートとを別個に作製する従来の構成と比較して製造コストが安価であるとともに、廃棄される剥離シートが少ないためごみの量が減少して環境にもよい。
【００１１】
また請求項２の発明は、請求項１に記載の保護フィルム付きラベルシートであって、前記保護フィルムおよび粘着剤層には、前記ループ状切れ目の外側に位置してそのループ状切れ目によって囲まれる領域よりも大きい領域を包囲するループ形状の表面側切れ目が形成されているところに特徴を有する。
【００１２】
上記請求項２の発明に示すように、保護フィルムおよび粘着剤層に、ループ状切れ目の外側に位置してそのループ状切れ目によって囲まれる領域よりも大きい領域を包囲するループ形状の表面側切れ目を形成することにより、１枚のラベルシートから複数の保護フィルム付きラベルを得ることが可能となる。すなわち、印字用シートの印刷面の印刷領域に印刷情報を反転印刷した後、保護フィルムおよび粘着剤層に形成された表面側切れ目によって囲まれた領域をそれ以外の領域から切り離してラベルシートから剥ぎ取ろうとすると、ループ状切れ目によって囲まれた印刷領域すなわちラベルは、ループ状切れ目によってラベル以外の領域と切り離されて、保護フィルム側に積層されたままの状態で残存する。すなわち、剥がし取られた個々の保護フィルムの裏面にラベルが残存する状態となるとともに、ラベルの周縁部には粘着剤層が露出した状態となる。よって、この保護フィルム付きラベルの粘着剤層の露出面を被着体物に宛って押しつけることにより、被着体物に貼り付ければ、表面が保護フィルムによって被覆されたラベルが得られる。
【００１３】
このように、請求項２の発明の保護フィルム付きラベルによれば、表面側切れ目を形成したことにより、上記請求項１の作用効果に加え、１枚のラベルシートから複数の保護フィルム付きラベルを得ることができるという作用効果が得られる。
【００１４】
ところで、印字用シートの印刷面に印刷情報を反転印刷した後、保護フィルムおよび粘着剤層に形成された表面側切れ目によって囲まれた領域をラベルシートから剥ぎ取れば、上述したように、印字用シートの印刷領域すなわちラベルは、ループ状切れ目によって周辺領域から切り離されて保護フィルム側に残存することにより、保護フィルム付きラベルが得られる。しかし、実際には、印刷面側にあるループ状切れ目に跨って印刷がされてしまうことがあり、そうすると、印字用シートの印刷面に印刷されたインクがループ状切れ目の内側領域とその周辺領域との間のブリッジとなって双方を結合させてしまい、インクの質によってはループ状切れ目をうまく切り離せなくなってラベルの切り離しに苦慮することになる。
【００１５】
そこで請求項３の発明では、請求項２の発明において、ループ状切れ目を長方形とすると共に、印字用シートの周辺領域に、前記ループ状切れ目の一辺と連続し、これとほぼ直交する方向に伸びる裏面側切れ目を形成する構成とした。
【００１６】
このような構成のラベルシートにおいては、印字用シートの印刷面に印刷情報を反転印刷した後、まず裏面側切れ目とこれにつながるループ状切れ目の一部によって囲まれた周辺領域の一部を、粘着剤層から引き剥がす。この引き剥がし作業は、ループ状切れ目（ブリッジの形成方向）に沿って行うことが可能であるから、比較的容易にブリッジを切り離すことができる。これにより、ループ状切れ目のうち裏面側切れ目と連続する一辺に架かった切り離し困難なブリッジが、完全に切り離される。そしてその後、上記と同様に、表面側切れ目によって囲まれた領域をそれ以外の領域から切り離して、ラベルシートから剥ぎ取る。この時、剥ぎ取り方向と略直交する方向に形成されたループ状切れ目に架かったインクのブリッジは、上述したようにすでに完全に切り離された状態であるから、剥ぎ取り開始部分の印刷領域すなわちラベルは保護フィルム側に残存する。また、剥ぎ取り方向に沿った方向に形成されたループ状切れ目にもインクのブリッジが架かっている場合があるが、上述したように、切り離し開始部分のブリッジが完全に切り離されており、且つその切り離し方向が保護フィルムの剥ぎ取り方向に沿っているから、比較的容易にブリッジを切り離すことができる。すなわち、印刷領域は周辺領域と速やかに切り離され、保護フィルム側に残存することとなる。
【００１７】
このように、請求項３の発明によれば、ループ状切れ目にインクのブリッジが架かっている場合でも、剥ぎ取り作業が容易な保護フィルム付きラベルシートを得ることができるという優れた作用効果を奏する。
【００１８】
【発明の実施の形態】
＜第１実施形態＞
以下、本発明を具体化した第１実施形態について図１ないし図４を参照して説明する。
本実施形態のラベルシート１０は、例えば喫茶店のテーブルに貼り付けるお知らせに適用させたものである。このラベルシート１０は、図１に示すように、例えばインクジェット方式のプリンタによって印刷可能な印刷面を有するＡ５版の印字用シート１１と、この印字用シート１１の印刷面の裏面側に積層された粘着剤層１２と、この粘着剤層１２を被覆するように積層された保護フィルム１３との３層構造からなる。
【００１９】
上記印字用シート１１は、例えばＰＥＴ製の透明な基材フィルム（図示せず）にインクが染み込み可能なインクジェット塗工（図示せず）を施した白色のいわゆるバックプリント用紙であり、基材フィルムとは反対側の面に印刷されると、印刷インクがしみ込んで裏面側から視認可能となるもので、その厚みは例えば約５０μｍである。また、粘着剤層１２は透明な粘着剤からなり、その厚みは約１０μｍである。なお、粘着剤層１２は、その厚さにおいて印字用シート１１に表示された印刷情報を透かし見ることができる程度に透明であれば良く、粘着剤自体が着色されているか、どの程度の透光性を有するかを問題とするものではない。また、保護フィルム１３は例えばＰＥＴ製の透明フィルムであり、その厚みは約４０μｍである。なお、図示はしないが、印字用シート１１と粘着剤層１２との間には剥離剤が塗布されている。
【００２０】
上記印字用シート１１には、図１および図２に示すように、印字用シート１１の端部から内周縁側に約５ｍｍの幅を介してループ状切れ目１４が形成されている。このループ状切れ目１４により、ループ状切れ目１４によって囲まれるラベル１５部分（本発明の印刷領域に相当）と、その周辺領域１６とが、互いに切り離し可能となっている。また、印字用シート１１には、上記周辺領域１６の一部に、図２に示すような、印字用シート１１の端部からループ状切れ目１４に連なるく字形状の切り込み１７が設けられている。
【００２１】
次に、上述した本実施形態のラベルシート１０の使用方法について説明する。ラベルシート１０を使用する場合には、まず印字用シート１１の印刷面にプリンタ等により印刷情報を表裏反転した形態で印刷する。そして、切り込み１７の端部をつまみ、印字用シート１１の周辺領域１６を粘着剤層１２から剥ぎ取る。これにより、ラベルシート１０は、印刷されたラベル１５の周辺に粘着剤層１２が露出した状態となる（図３参照）。そして、この状態のラベルシート１０を裏返して保護フィルム１３が上面となる状態とし、下面側の粘着剤層１２の露出面をテーブルに載置し、上から押さえて付けて貼り付ける。（図４参照）。
【００２２】
このように、本実施形態のラベルシート１０によれば、印字用シート１１に反転印刷を行って周辺領域１６を剥ぎ取り、露出した粘着剤層１２をテーブルに貼り付けるという簡単な作業を行うだけで、表面が保護フィルム１３にて覆われたラベル１５を得ることができるという優れた作用効果を奏する。
【００２３】
＜第２実施形態＞
本実施形態のラベルシート２０は、上記実施形態と同様の３層構造からなるラベルシート２０の印字用シート２１に、図５に示すように、複数の長方形状のループ状切れ目２４を形成すると共に、保護フィルム２３および粘着剤層２２に表面側切れ目２８を形成したものである。この表面側切れ目２８は、ループ状切れ目２４からその外周側に約３ｍｍの幅を介して形成されており、ループ状切れ目２４よりもひとまわり大きい長方形状に閉じた形状となっている。このような、表面側切れ目２８およびループ状切れ目２４によって形成される個々の保護フィルム２３およびラベル２５が、例えばＡ５版のラベルシート２０に８枚分形成されている。
【００２４】
このラベルシート２０を使用する場合には、上記実施形態と同様に、まず印字用シート２１の印刷面にプリンタ等により印刷情報の反転印刷を行う。そして、ラベルシート２０を裏返して表面側切れ目２８の端をつまみ、保護フィルム２３および粘着剤層２２を積層状態のまま部分的に他の領域から切り離してラベルシート２０から剥がし取る。この時、印字用シート２１には表面側切れ目２８の内側に位置するループ状切れ目２４が形成されているので、このループ状切れ目２４によって囲まれた印字用シート２１の領域すなわちラベル２５は、それ以外の周辺領域と切り離され、剥ぎ取られる保護フィルム２３側に積層されたまま残存する。この結果、剥ぎ取られた保護フィルム２３の裏面側は、図６に示すように、周縁部だけに粘着剤層２２が露出し、ラベル２５部分が残された状態となる。その後、図７に示すように、露出された粘着剤層２２を例えば携帯電話に宛い、保護フィルム２３とともにラベル２５を貼付する。
【００２５】
このように、本実施形態のラベルシート２０によれば、上記第１実施形態と同様の作用効果に加え、１枚のラベルシート２０から複数枚の保護フィルム付きラベルが得られるという作用効果を奏する。
【００２６】
＜第３実施形態＞
本実施形態のラベルシート３０も、上記実施形態と同様の３層構造からなるラベルシート３０の印字用シート３１に複数の長方形状のループ状切れ目３４を形成するとともに、保護フィルム３３および粘着剤層３２に表面側切れ目３８を形成したものであるが、さらに印字用シート３１に裏面側切れ目３９を形成したところが上記実施形態とは異なる。この裏面側切れ目３９は、図８および図９に示すように、ラベル３５（すなわちループ状切れ目３４）の一方の短辺の両端部から、ラベルシート３０の端縁部に向けてやや広がるように直線状に形成されるとともに、上記ラベル３５（ループ状切れ目３４）の短辺と平行となるように閉じられることにより、ループ状切れ目３４を一辺とした台形状の領域３６Ａを形成している。
【００２７】
このラベルシート３０を使用する場合には、印字用シート３１の印刷面に印刷情報の反転印刷を行った後、まず、台形状の領域３６Ａの鋭角部分を摘み、この領域３６Ａをループ状切れ目３４に沿ってラベルシート３０から剥ぎ取る（図１０および図１１参照）。この時、ループ状切れ目３４の切り離し部分に印刷用のインクによるブリッジＢが架かっている場合があるが、この剥ぎ取り作業はブリッジＢの形成方向に沿って行うため、比較的容易にループ状切れ目３４を切り離すことができる。次に、上記実施形態と同様に、ラベルシート３０を裏返して表面側切れ目３８の端をつまみ、保護フィルム３３および粘着剤層３２を部分的に他の領域から切り離してラベルシート３０から剥ぎ取る（図１２ないし図１４参照）。この時、ループ状切れ目３４の短辺に架かっていたインクのブリッジＢは、上述したようにすでに完全に切断された状態となっているから、剥ぎ取り開始部分のラベル３５の端部は保護フィルム３３側に残存する。また、ループ状切れ目３４の長辺側にもインクのブリッジＢが架かっている場合があるが、このブリッジＢは、ループ状切れ目３４のすでに切断された部分をきっかけとして、剥ぎ取り方向に沿って容易に切断されるので、結局ラベル３５は周辺領域３６と完全に切り離されて全体が保護フィルム３３側に残存することとなる。
【００２８】
このように、本実施形態のラベルシート３０によれば、上記第１および第２実施形態と同様の作用効果に加え、剥ぎ取り作業が容易な保護フィルム付きラベルが得られるという作用効果を奏する。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３０】
（１）上記第２実施形態では、ループ状切れ目２４と表面側切れ目２８とを大きさが異なる同形状としたが、必ずしも同形状でなくてもよく、ラベル２５の外周縁の一部だけに粘着剤層２２が露出するように表面側切れ目２８を形成したり、粘着剤層２２の露出幅が位置によって異なるようにしてもよい。
【００３１】
（２）上記第３実施形態では、裏面側切れ目３９をループ状切れ目３４とともに台形を形成する構成としたが、これに限らず、例えば三角形状や単なる切り込みを入れる構成としてもよく、要は、ループ状切れ目３４に形成されたインクのブリッジを切り離すことができる構成であればどのような形状であってもよい。
【図面の簡単な説明】
【図１】本発明の第１実施形態のラベルシートの部分拡大断面図
【図２】同じくラベルシートの斜視図
【図３】同じく周辺領域を粘着剤層から剥がした状態を示す斜視図
【図４】同じくラベルを貼付した状態を示す斜視図
【図５】本発明の第２実施形態のラベルシートの斜視図
【図６】同じく個々のラベルを剥がした状態を示す斜視図
【図７】同じくラベルを貼付した状態を示す斜視図
【図８】本発明の第３実施形態のラベルシートの斜視図
【図９】同じく図８のＡ−Ａ線に沿って切断した部分拡大断面図
【図１０】同じく一部領域を剥ぎ取る過程を示す斜視図
【図１１】同じく図１０の部分拡大断面図
【図１２】同じくラベルシートから保護フィルム付きラベルを剥ぎ取る過程を示す斜視図
【図１３】同じく図１１の部分拡大断面図
【図１４】同じくラベルシートから保護フィルム付きラベルを剥ぎ取った場合の部分拡大断面図
【符号の説明】
１０，２０，３０...ラベルシート（保護フィルム付きラベルシート）
１１，２１，３１...印字用シート
１２，２２，３２...粘着剤層
１３，２３，３３...保護フィルム
１４，２４，３４...ループ状切れ目
１５，２５，３５...ラベル（印刷領域）
１６，２６，３６...周辺領域
２８，３８...表面側切れ目
３９...裏面側切れ目
【図１】
0003730600.tif 000002
【図２】
0003730600.tif 000003
【図３】
0003730600.tif 000004
【図４】
0003730600.tif 000005
【図５】
0003730600.tif 000006
【図６】
0003730600.tif 000007
【図７】
0003730600.tif 000008
【図８】
0003730600.tif 000009
【図９】
0003730600.tif 000010
【図１０】
0003730600.tif 000011
【図１１】
0003730600.tif 000012
【図１２】
0003730600.tif 000013
【図１３】
0003730600.tif 000014
【図１４】
0003730600.tif 000015